【手続補正書】
【提出日】平成22年9月27日(2010.9.27)
【手続補正１】
【補正対象書類名】特許請求の範囲
【補正対象項目名】全文
【補正方法】変更
【補正の内容】
【特許請求の範囲】
【請求項１】
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供することを特徴とする経路探索システム。
【請求項２】
前記代替経路探索手段は、前記登録経路情報のうち少なくとも出発駅と、目的駅とに基づいて代替経路を探索することを特徴とする請求項１に記載の経路探索システム。
【請求項３】
前記代替経路探索手段は、さらに前記登録経路情報のうち出発時刻または到着時刻に基づいて代替経路を探索することを特徴とする請求項２に記載の経路探索システム。
【請求項４】
前記経路探索システムは、さらに属性情報抽出手段を備え、前記属性情報抽出手段は、前記登録経路情報から交通機関を用いた経路区間の属性情報を抽出するものであって、
前記代替経路探索手段は、前記登録経路情報及び前記属性情報に基づいて代替経路を探索することを特徴とする請求項１に記載の経路探索システム。
【請求項５】
前記経路探索システムは、さらに移動手段抽出手段を備え、前記移動手段抽出手段は、更新された時刻表データに基づいて、前記登録経路情報に基づいて所定の条件範囲内にある移動手段を抽出し、前記代替経路探索手段は、前記移動手段抽出手段が抽出した移動手段に基づいて代替経路を探索することを特徴とする請求項１乃至請求項４に記載の経路探索システム。
【請求項６】
前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする請求項１に記載の経路探索システム。
【請求項７】
前記経路探索システムは、代替経路選択手段を備え、代替経路選択手段は、前記代替経路探索手段が探索した代替経路が所定の時刻条件を満足するか否かを判別し、前記時刻条件を満足する代替経路を、前記端末装置に提供する経路として選択し、前記時刻条件を満足する代替経路が得られなかった場合には、前記更新された時刻表データを用いて前記出発地から目的地までの最適経路を探索して代替経路とすることを特徴とする請求項１に記載の経路探索システム。
【請求項８】
前記代替経路選択手段は、代替経路候補が少なくとも１つまたは所定数あるか否かを判別し、少なくとも１つまたは所定数有る場合にはその代替経路を端末装置に提供する代替経路として選択し、代替経路が少なくとも１つまたは所定数に満たない場合には、前記更新された時刻表データを用いて前記出発地から目的地までの最適経路を探索して代替経路とすることを特徴とする請求項７に記載の経路探索システム。
【請求項９】
前記利用者管理データベースに利用者が登録した属性情報に含まれる情報の優先度が登録されている場合、前記代替経路選択手段は、代替経路候補が少なくとも１つまたは所定数の前記代替経路が得られなかった場合、前記登録された属性情報の優先度に応じて属性情報に含まれる情報を選択し、前記選択された属性情報及び前記登録経路情報に基づいて前記代替経路探索手段が代替経路を探索することを特徴とする請求項４に記載の経路探索システム。
【請求項１０】
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供することを特徴とする経路探索サーバ。
【請求項１１】
前記代替経路探索手段は、前記登録経路情報のうち少なくとも出発駅と、目的駅とに基づいて代替経路を探索することを特徴とする請求項１０に記載の経路探索サーバ。
【請求項１２】
前記代替経路探索手段は、さらに前記登録経路情報のうち出発時刻または到着時刻に基づいて代替経路を探索することを特徴とする請求項１１に記載の経路探索サーバ。
【請求項１３】
前記経路探索サーバは、さらに属性情報抽出手段を備え、前記属性情報抽出手段は、前記登録経路情報から交通機関を用いた経路区間の属性情報を抽出するものであって、
前記代替経路探索手段は、前記登録経路情報及び前記属性情報に基づいて代替経路を探索することを特徴とする請求項１０に記載の経路探索サーバ。
【請求項１４】
前記経路探索サーバは、さらに移動手段抽出手段を備え、前記移動手段抽出手段は、更新された時刻表データに基づいて、前記登録経路情報に基づいて所定の条件範囲内にある移動手段を抽出し、前記代替経路探索手段は、前記移動手段抽出手段が抽出した移動手段に基づいて代替経路を探索することを特徴とする請求項１０乃至請求項１３に記載の経路探索サーバ。
【請求項１５】
前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする請求項１０に記載の経路探索サーバ。
【請求項１６】
前記経路探索サーバは、代替経路選択手段を備え、代替経路選択手段は、前記代替経路探索手段が探索した代替経路が所定の時刻条件を満足するか否かを判別し、前記時刻条件を満足する代替経路を、前記端末装置に提供する経路として選択し、前記時刻条件を満足する代替経路が得られなかった場合には、前記更新された時刻表データを用いて前記出発地から目的地までの最適経路を探索して代替経路とすることを特徴とする請求項１０に記載の経路探索サーバ。
【請求項１７】
前記代替経路選択手段は、代替経路候補が少なくとも１つまたは所定数あるか否かを判別し、少なくとも１つまたは所定数有る場合にはその代替経路を端末装置に提供する代替経路として選択し、代替経路が少なくとも１つまたは所定数に満たない場合には、前記更新された時刻表データを用いて前記出発地から目的地までの最適経路を探索して代替経路とすることを特徴とする請求項１６に記載の経路探索サーバ。
【請求項１８】
前記利用者管理データベースに利用者が登録した属性情報に含まれる情報の優先度が登録されている場合、前記代替経路選択手段は、代替経路候補が少なくとも１つまたは所定数の前記代替経路が得られなかった場合、前記登録された属性情報の優先度に応じて属性情報に含まれる情報を選択し、前記選択された属性情報及び前記登録経路情報に基づいて前記代替経路探索手段が代替経路を探索することを特徴とする請求項１３に記載の経路探索サーバ。
【請求項１９】
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記登録経路情報に基づいて代替経路を探索するステップと、前記代替経路を前記端末装置に提供するステップと、を有することを特徴とする経路探索システムにおける経路探索方法。
【請求項２０】
前記代替経路探索手段が、前記登録経路情報のうち少なくとも出発駅と、目的駅とに基づいて代替経路を探索するステップと、有することを特徴とする請求項１９に記載の経路探索方法。
【請求項２１】
前記代替経路探索手段が、さらに前記登録経路情報のうち出発時刻または到着時刻に基づいて代替経路を探索するステップを、有することを特徴とする請求項２０に記載の経路探索方法。
【請求項２２】
前記経路探索サーバは、さらに属性情報抽出手段を備え、前記属性情報抽出手段は、前記登録経路情報から交通機関を用いた経路区間の属性情報を抽出するものであって、
前記代替経路探索手段が、前記登録経路情報及び前記属性情報に基づいて代替経路を探索するステップを、有することを特徴とする請求項１９に記載の経路探索方法。
【請求項２３】
前記経路探索サーバは、さらに移動手段抽出手段を備え、前記移動手段抽出手段は、更新された時刻表データに基づいて、前記登録経路情報に基づいて所定の条件範囲内にある移動手段を抽出し、前記代替経路探索手段が、前記移動手段抽出手段が抽出した移動手段に基づいて代替経路を探索するステップを、有することを特徴とする請求項１９乃至請求項２２記載の経路探索方法。
【請求項２４】
前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする請求項１９に記載の経路探索方法。
【請求項２５】
代替経路選択手段を備え、前記代替経路探索手段が探索した代替経路が所定の時刻条件を満足するか否かを判別するステップと、前記時刻条件を満足する代替経路を、前記端末装置に提供する経路として選択するステップと、前記時刻条件を満足する代替経路が得られなかった場合には、前記更新された時刻表データを用いて前記出発地から目的地までの最適経路を探索して代替経路とするステップと、を有することを特徴とする請求項１９に記載の経路探索方法。
【請求項２６】
前記代替経路選択手段が、代替経路候補が少なくとも１つまたは所定数あるか否かを判別するステップと、少なくとも１つまたは所定数所定数有る場合にはその代替経路を端末装置に提供する代替経路として選択するステップと、代替経路が少なくとも１つまたは所定数に満たない場合には、記更新された時刻表データを用いて前記出発地から目的地までの最適経路を探索して代替経路とするステップと、を有することを特徴とする請求項２５に記載の経路探索方法。
【請求項２７】
前記利用者管理データベースに利用者が登録した属性情報に含まれる情報の優先度が登録されている場合、代替経路候補が少なくとも１つまたは所定数の前記代替経路が得られなかった場合に前記登録された属性情報の優先度に応じて属性情報に含まれる情報を選択するステップと、前記選択された属性情報に応じて前記代替経路探索手段が前記代替経路を探索するステップと、を有することを特徴とする請求項２２に記載の経路探索方法。
【請求項２８】
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供する経路探索サーバに接続される端末装置であって、
前記端末装置は、利用者登録情報と所望の出発地から目的地までの登録経路情報とを前記経路探索サーバに登録するための利用者・経路登録手段を含む操作入力手段を備えたことを特徴とする端末装置
【請求項２９】
前記端末装置に提供される代替経路の情報は、代替経路の所要時間と、代替経路から算出される到着予想時刻または出発推奨時刻と、更新前の時刻表における到着時刻と前記到着予想時刻との時刻差を含み、前記端末装置は、前記代替経路の情報を受信する通信手段を有することを特徴とする請求項２８に記載の端末装置。
【請求項３０】
前記利用者・経路登録手段は、前記属性情報に含まれる情報に優先度を設定し、前記経路探索サーバに登録可能になしたことを特徴とする請求項２８に記載の端末装置。
【手続補正２】
【補正対象書類名】明細書
【補正対象項目名】００１９
【補正方法】変更
【補正の内容】
【００１９】
前記課題を解決するために、本願の請求項１にかかる発明は、
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供することを特徴とする経路探索システムである。
【手続補正３】
【補正対象書類名】明細書
【補正対象項目名】００２０
【補正方法】変更
【補正の内容】
【００２０】
また、本願の請求項２にかかる発明は、請求項１にかかる経路探索システムにおいて、前記代替経路探索手段は、前記登録経路情報のうち少なくとも出発駅と、目的駅とに基づいて代替経路を探索することを特徴とする経路探索システムである。
また、本願の請求項３にかかる発明は、請求項２にかかる経路探索システムにおいて、前記代替経路探索手段は、さらに前記登録経路情報のうち出発時刻または到着時刻に基づいて代替経路を探索することを特徴とする経路探索システムである。
【手続補正４】
【補正対象書類名】明細書
【補正対象項目名】００２１
【補正方法】変更
【補正の内容】
【００２１】
また、本願の請求項４にかかる発明は、請求項１にかかる経路探索システムにおいて、さらに属性情報抽出手段を備え、前記属性情報抽出手段は、前記登録経路情報から交通機関を用いた経路区間の属性情報を抽出するものであって、前記代替経路探索手段は、前記登録経路情報及び前記属性情報に基づいて代替経路を探索することを特徴とする。
また、本願の請求項５にかかる発明は、請求項１にかかる経路探索システムにおいて、さらに移動手段抽出手段を備え、前記移動手段抽出手段は、更新された時刻表データに基づいて、前記登録経路情報に基づいて所定の条件範囲内にある移動手段を抽出し、前記代替経路探索手段は、前記移動手段抽出手段が抽出した移動手段に基づいて代替経路を探索することを特徴とする。
【手続補正５】
【補正対象書類名】明細書
【補正対象項目名】００２２
【補正方法】変更
【補正の内容】
【００２２】
また、本願の請求項６にかかる発明は、請求項１にかかる経路探索システムにおいて、前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする。
また、本願の請求項７にかかる発明は、請求項１にかかる経路探索システムにおいて、代替経路選択手段を備え、代替経路選択手段は、前記代替経路探索手段が探索した代替経路が所定の時刻条件を満足するか否かを判別し、前記時刻条件を満足する代替経路を、前記端末装置に提供する経路として選択し、前記時刻条件を満足する代替経路が得られなかった場合には、前記更新された時刻表データを用いて前記出発地から目的地までの最適経路を探索して代替経路とすることを特徴とする。
また、本願の請求項８にかかる発明は、請求項７にかかる経路探索システムにおいて、前記代替経路選択手段は、代替経路候補が少なくとも１つまたは所定数あるか否かを判別し、少なくとも１つまたは所定数有る場合にはその代替経路を端末装置に提供する代替経路として選択し、代替経路が少なくとも１つまたは所定数に満たない場合には、前記更新された時刻表データを用いて前記出発地から目的地までの最適経路を探索して代替経路とすることを特徴とする。
【手続補正６】
【補正対象書類名】明細書
【補正対象項目名】００２３
【補正方法】変更
【補正の内容】
【００２３】
また、本願の請求項９にかかる発明は、請求項４にかかる経路探索システムにおいて、前記利用者管理データベースに利用者が登録した属性情報に含まれる情報の優先度が登録されている場合、前記代替経路選択手段は、代替経路候補が少なくとも１つまたは所定数の前記代替経路が得られなかった場合、前記登録された属性情報の優先度に応じて属性情報に含まれる情報を選択し、前記選択された属性情報及び前記登録経路情報に基づいて前記代替経路探索手段が代替経路を探索することを特徴とする。
【手続補正７】
【補正対象書類名】明細書
【補正対象項目名】００２４
【補正方法】変更
【補正の内容】
【００２４】
本願の請求項１０にかかる発明は、
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供することを特徴とする経路探索サーバである。
【手続補正８】
【補正対象書類名】明細書
【補正対象項目名】００２５
【補正方法】変更
【補正の内容】
【００２５】
また、本願の請求項１１にかかる発明は、請求項１０にかかる経路探索サーバにおいて、前記代替経路探索手段は、前記登録経路情報のうち少なくとも出発駅と、目的駅とに基づいて代替経路を探索することを特徴とする。
また、本願の請求項１２にかかる発明は、請求項１１にかかる経路探索サーバにおいて、前記代替経路探索手段は、さらに前記登録経路情報のうち出発時刻または到着時刻に基づいて代替経路を探索することを特徴とする。
【手続補正９】
【補正対象書類名】明細書
【補正対象項目名】００２６
【補正方法】変更
【補正の内容】
【００２６】
また、本願の請求項１３にかかる発明は、請求項１０にかかる経路探索サーバにおいて、さらに属性情報抽出手段を備え、前記属性情報抽出手段は、前記登録経路情報から交通機関を用いた経路区間の属性情報を抽出するものであって、前記代替経路探索手段は、前記登録経路情報及び前記属性情報に基づいて代替経路を探索することを特徴とする。
また、本願の請求項１４にかかる発明は、請求項１０乃至請求項１３にかかる経路探索サーバにおいて、さらに移動手段抽出手段を備え、前記移動手段抽出手段は、更新された時刻表データに基づいて、前記登録経路情報に基づいて所定の条件範囲内にある移動手段を抽出し、前記代替経路探索手段は、前記移動手段抽出手段が抽出した移動手段に基づいて代替経路を探索することを特徴とする。
【手続補正１０】
【補正対象書類名】明細書
【補正対象項目名】００２７
【補正方法】変更
【補正の内容】
【００２７】
また、本願の請求項１５にかかる発明は、請求項１０にかかる経路探索サーバにおいて、前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする。
また、本願の請求項１６にかかる発明は、請求項１０にかかる経路探索サーバにおいて、代替経路選択手段を備え、代替経路選択手段は、前記代替経路探索手段が探索した代替経路が所定の時刻条件を満足するか否かを判別し、前記時刻条件を満足する代替経路を、前記端末装置に提供する経路として選択し、前記時刻条件を満足する代替経路が得られなかった場合には、前記更新された時刻表データを用いて前記出発地から目的地までの最適経路を探索して代替経路とすることを特徴とする。
【手続補正１１】
【補正対象書類名】明細書
【補正対象項目名】００２８
【補正方法】変更
【補正の内容】
【００２８】
また、本願の請求項１７にかかる発明は、請求項１６にかかる経路探索サーバにおいて、前記代替経路選択手段は、代替経路候補が少なくとも１つまたは所定数あるか否かを判別し、少なくとも１つまたは所定数有る場合にはその代替経路を端末装置に提供する代替経路として選択し、代替経路が少なくとも１つまたは所定数に満たない場合には、前記更新された時刻表データを用いて前記出発地から目的地までの最適経路を探索して代替経路とすることを特徴とする。
また、本願の請求項１８にかかる発明は、請求項１３にかかる経路探索サーバにおいて、前記利用者管理データベースに利用者が登録した属性情報に含まれる情報の優先度が登録されている場合、前記代替経路選択手段は、代替経路候補が少なくとも１つまたは所定数の前記代替経路が得られなかった場合、前記登録された属性情報の優先度に応じて属性情報に含まれる情報を選択し、前記選択された属性情報及び前記登録経路情報に基づいて前記代替経路探索手段が代替経路を探索することを特徴とする。
【手続補正１２】
【補正対象書類名】明細書
【補正対象項目名】００２９
【補正方法】変更
【補正の内容】
【００２９】
本願の請求項１９にかかる発明は、
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記登録経路情報に基づいて代替経路を探索するステップと、前記代替経路を前記端末装置に提供するステップと、を有することを特徴とする経路探索システムにおける経路探索方法である。
【手続補正１３】
【補正対象書類名】明細書
【補正対象項目名】００３０
【補正方法】変更
【補正の内容】
【００３０】
また、本願の請求項２０にかかる発明は、請求項１９にかかる経路探索方法において、前記代替経路探索手段が、前記登録経路情報のうち少なくとも出発駅と、目的駅とに基づいて代替経路を探索するステップと、有することを特徴とする。
また、本願の請求項２１にかかる発明は、請求項２０にかかる経路探索方法において、前記代替経路探索手段が、さらに前記登録経路情報のうち出発時刻または到着時刻に基づいて代替経路を探索するステップを、有することを特徴とする。
【手続補正１４】
【補正対象書類名】明細書
【補正対象項目名】００３１
【補正方法】変更
【補正の内容】
【００３１】
また、本願の請求項２２にかかる発明は、請求項１９にかかる経路探索方法において、前記経路探索サーバは、さらに属性情報抽出手段を備え、前記属性情報抽出手段は、前記登録経路情報から交通機関を用いた経路区間の属性情報を抽出するものであって、
前記代替経路探索手段が、前記登録経路情報及び前記属性情報に基づいて代替経路を探索するステップを、有することを特徴とする。
また、本願の請求項２３にかかる発明は、請求項１９項乃至請求項２２にかかる経路探索方法において、前記経路探索サーバは、さらに移動手段抽出手段を備え、前記移動手段抽出手段は、更新された時刻表データに基づいて、前記登録経路情報に基づいて所定の条件範囲内にある移動手段を抽出し、前記代替経路探索手段が、前記移動手段抽出手段が抽出した移動手段に基づいて代替経路を探索するステップを、有することを特徴とする。
【手続補正１５】
【補正対象書類名】明細書
【補正対象項目名】００３２
【補正方法】変更
【補正の内容】
【００３２】
また、本願の請求項２４にかかる発明は、請求項１９にかかる経路探索方法において、前記端末装置に提供する代替経路の情報は、代替経路の所要時間と、代替経路から算出される到着予想時刻または出発推奨時刻と、更新前の時刻表における到着時刻と前記到着予想時刻との時刻差を含むことを特徴とする。
また、本願の請求項２５にかかる発明は、請求項１９項にかかる経路探索方法において、代替経路選択手段を備え、前記代替経路探索手段が探索した代替経路が所定の時刻条件を満足するか否かを判別するステップと、前記時刻条件を満足する代替経路を、前記端末装置に提供する経路として選択するステップと、前記時刻条件を満足する代替経路が得られなかった場合には、前記更新された時刻表データを用いて前記出発地から目的地までの最適経路を探索して代替経路とするステップと、を有することを特徴とする。
【手続補正１６】
【補正対象書類名】明細書
【補正対象項目名】００３３
【補正方法】変更
【補正の内容】
【００３３】
また、本願の請求項２６にかかる発明は、請求項２５にかかる経路探索方法において、前記代替経路選択手段が、代替経路候補が少なくとも１つまたは所定数あるか否かを判別するステップと、少なくとも１つまたは所定数所定数有る場合にはその代替経路を端末装置に提供する代替経路として選択するステップと、代替経路が少なくとも１つまたは所定数に満たない場合には、記更新された時刻表データを用いて前記出発地から目的地までの最適経路を探索して代替経路とするステップと、を有することを特徴とする。
また、本願の請求項２７にかかる発明は、請求項２２にかかる経路探索方法において、移動手段を抽出する移動手段抽出手段を備え、前記利用者管理データベースに利用者が登録した属性情報に含まれる情報の優先度が登録されている場合、代替経路候補が少なくとも１つまたは所定数の前記代替経路が得られなかった場合に前記登録された属性情報の優先度に応じて属性情報に含まれる情報を選択するステップと、前記選択された属性情報に応じて前記代替経路探索手段が前記代替経路を探索するステップと、を有することを特徴とする。
【手続補正１７】
【補正対象書類名】明細書
【補正対象項目名】００３４
【補正方法】変更
【補正の内容】
【００３４】
本願の請求項２８にかかる発明は、
時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、
前記時刻表更新有無判別手段が時刻表データに更新があると判別した場合、前記登録経路情報に基づいて代替経路を探索して前記端末装置に提供する経路探索サーバに接続される端末装置であって、
前記端末装置は、利用者登録情報と所望の出発地から目的地までの登録経路情報とを前記経路探索サーバに登録するための利用者・経路登録手段を含む操作入力手段を備えたことを特徴とする。
【手続補正１８】
【補正対象書類名】明細書
【補正対象項目名】００３５
【補正方法】変更
【補正の内容】
【００３５】
また、本願の請求項２９にかかる発明は、請求項２８にかかる端末装置において、前記端末装置に提供される代替経路の情報は、代替経路の所要時間と、代替経路から算出される到着予想時刻または出発推奨時刻と、更新前の時刻表における到着時刻と前記到着予想時刻との時刻差を含み、前記端末装置は、前記代替経路の情報を受信する通信手段を有することを特徴とする。
【手続補正１９】
【補正対象書類名】明細書
【補正対象項目名】００３６
【補正方法】変更
【補正の内容】
【００３６】
また、本願の請求項３０にかかる発明は、請求項２８にかかる端末装置において、前記利用者・経路登録手段は、前記属性情報に含まれる情報に優先度を設定し、前記経路探索サーバに登録可能になしたことを特徴とする。
【手続補正２０】
【補正対象書類名】明細書
【補正対象項目名】００３７
【補正方法】変更
【補正の内容】
【００３７】
請求項１にかかる発明においては、経路探索システムは、時刻表データを蓄積する時刻表データベースと、端末装置の利用者登録情報と所望の出発地から目的地までの少なくとも出発駅と、到着駅と、出発時刻または到着時刻とを含む登録経路情報とを記憶する利用者管理データベースと、前記登録経路に関する時刻表データの更新の有無を判別する時刻表更新有無判別手段と、前記登録経路情報に基づいて代替経路を探索する代替経路探索手段と、を備え、前記時刻表更新有無判別手段が時刻表データに更新があると判別した場合、前記登録経路情報に基づいて代替経路を探索して前記端末装置に提供する。
請求項２にかかる発明においては、前記代替経路探索手段は、前記登録経路情報のうち少なくとも出発駅と、目的駅とに基づいて代替経路を探索する。
本願の請求項３にかかる発明においては、前記代替経路探索手段は、さらに前記登録経路情報のうち出発時刻または到着時刻に基づいて代替経路を探索する。
請求項４にかかる発明においては、属性情報抽出手段を備え、前記属性情報抽出手段は、前記登録経路情報から交通機関を用いた経路区間の属性情報を抽出するものであって、前記代替経路探索手段は、前記登録経路情報及び前記属性情報に基づいて代替経路を探索する。
請求項５にかかる発明においては、さらに移動手段抽出手段を備え、前記移動手段抽出手段は、更新された時刻表データに基づいて、前記登録経路情報に基づいて所定の条件範囲内にある移動手段を抽出し、前記代替経路探索手段は、前記移動手段抽出手段が抽出した移動手段に基づいて代替経路を探索する。
【手続補正２１】
【補正対象書類名】明細書
【補正対象項目名】００３９
【補正方法】変更
【補正の内容】
【００３９】
また、請求項６にかかる発明においては、請求項１にかかる経路探索システムにおいて、端末装置に提供する代替経路の情報は、代替経路の所要時間と、代替経路から算出される到着予想時刻または出発推奨時刻と、更新前の時刻表における到着時刻と前記到着予想時刻との時刻差を含む。
【手続補正２２】
【補正対象書類名】明細書
【補正対象項目名】００４１
【補正方法】変更
【補正の内容】
【００４１】
また、請求項７にかかる発明においては、請求項１にかかる経路探索システムにおいて、経路探索システムは、代替経路選択手段を備え、代替経路選択手段は、前記代替経路探索手段が探索した代替経路が所定の時刻条件を満足するか否かを判別し、前記時刻条件を満足する代替経路を、前記端末装置に提供する経路として選択し、前記時刻条件を満足する代替経路が得られなかった場合には、前記更新された時刻表データを用いて前記出発地から目的地までの最適経路を探索して代替経路とする。
【手続補正２３】
【補正対象書類名】明細書
【補正対象項目名】００４３
【補正方法】変更
【補正の内容】
【００４３】
また、請求項８にかかる発明においては、請求項７にかかる経路探索システムにおいて、代替経路選択手段は、代替経路候補が少なくとも１つまたは所定数あるか否かを判別し、少なくとも１つまたは所定数有る場合にはその代替経路を端末装置に提供する代替経路として選択し、代替経路が少なくとも１つまたは所定数に満たない場合には、前記更新された時刻表データを用いて前記出発地から目的地までの最適経路を探索して代替経路とする。
【手続補正２４】
【補正対象書類名】明細書
【補正対象項目名】００４５
【補正方法】変更
【補正の内容】
【００４５】
また、請求項９にかかる発明においては、請求項４にかかる経路探索システムにおいて、利用者管理データベースに利用者が登録した属性情報に含まれる情報の優先度が登録されている場合、前記代替経路選択手段は、代替経路候補が少なくとも１つまたは所定数の前記代替経路が得られなかった場合、前記登録された属性情報の優先度に応じて属性情報に含まれる情報を選択し、前記選択された属性情報に応じて前記代替経路探索手段が前記代替経路を探索する。
【手続補正２５】
【補正対象書類名】明細書
【補正対象項目名】００４７
【補正方法】変更
【補正の内容】
【００４７】
また、請求項１０ないし請求項１８にかかる発明においては、それぞれ請求項１ないし請求項９にかかる経路探索システムを構成する経路探索サーバを提供することができるようになり、請求項１９ないし請求項２７にかかる発明においては、それぞれ請求項１ないし請求項９にかかる経路探索システムにおける経路探索方法を提供することができるようになる。また、請求項２８ないし請求項３０にかかる発明においては、それぞれ請求項１ないし請求項６、請求項９にかかる経路探索システムを構成する端末装置を提供することができるようになる。